(57)【要約】      （修正有）【課題】平板などの被包装物を保護する保護材を別途設けなくても被包装物が上蓋形成用フラップまたは底板形成用フラップによって傷付けられることを防止することができる厚紙製包装箱を提供する。【解決手段】１組の対向側板５に連設された上蓋形成用フラップ１２，１３と、他の組の対向側板２，３に連設され上蓋形成用フラップ１２，１３の外側から重なる上蓋形成用フラップ１０，１１を備え、上蓋形成用フラップ１０，１１には他の組の対向側板２，３との繋がり部に折れ曲がり線を備えて内側に押し込まれる内フラップ受け片１４，１５、１６，１７が打ち抜きにより形成され、前記内フラップ受け片１４，１５、１６，１７は先に閉じられる前記上蓋形成用フラップ１２，１３を受けるように構成されている。【選択図】図２
0003182103.tif 000002
【実用新案登録請求の範囲】
【請求項１】
２組の対向側板と、この２組の対向側板の下端に連設される底板形成用フラップと、前記２組の対向側板の内、任意の側板の上端に連設される上蓋形成用フラップとを備えた厚紙製包装箱であって、
前記２組の対向側板の内、１組の対向側板の下端に連設される２枚の底板形成用フラップは一方の底板形成用フラップの突き合せ部に形成された凸状差し込み片が他方の底板形成用フラップの突き合せ部に形成された凹状切り込み部に差し込まれて下側底板部を形成し、
他の１組の対向側板の下端に連設される２枚の底板形成用フラップは隣り合って配置され前記下側底板部を上から覆う平面状の上側底板部を形成するように構成したことを特徴とする厚紙製包装箱。
【請求項２】
差し込み片は切り込み部の内面側に差し込まれ、差し込み片の両側に位置する肩部は切り込み部の両側に位置する肩部の外面側に重なることを特徴とする請求項１に記載の厚紙製包装箱。
【請求項３】
他方の底板形成用フラップの切り込み部は外側に膨らむ円弧状に形成され、一方の底板形成用フラップの肩部も外側に膨らむ円弧状に形成されていることを特徴とする請求項２に記載の厚紙製包装箱。
【請求項４】
差し込み片の両側と切り込み部の両側とには溝部が形成されていることを特徴とする請求項２に記載の厚紙製包装箱。
【考案の詳細な説明】
【技術分野】
【０００１】
本考案は、段ボールなどの厚紙によって形成される厚紙製包装箱に関する。
【背景技術】
【０００２】
特許文献１に記載の厚紙製包装箱は、１組の上蓋形成用フラップの切り込みに他方の１組の上蓋形成用フラップの差込み片が差し込まれて上蓋が形成されるものであるが、下側の底板側は、各側板の下端に連設された４枚の底片を内方に折り曲げ、天井方向に押し込んで各片を組み込ませることにより形成されている。被収納物が載る底板は４枚の厚紙製の各片を組み込ませて形成されるので、底板の上面が凹凸状であり、被収納物を安定した状態で包装できない場合がある。
【０００３】
そこで、包装箱の底部内面をフラットにして、厚紙製包装箱の底部に平板状の保護底板を載せる場合がある。保護底板は別途製作され、あるいは上蓋形成用フラップに連設されることもある。
【先行技術文献】
【特許文献】
【０００４】
【特許文献１】実開平２−３４４１９号公報
【考案の概要】
【考案が解決しようとする課題】
【０００５】
包装箱の底部内面をフラットな状態にするために、保護底板を別途製作し、あるいは保護底板を上蓋形成用フラップに連設すると、材料が別途必要となりコストアップに繋がるという問題がある。
【０００６】
本考案の目的は、保護底板を別途用意することなく底板形成用フラップを用いて底部内面をフラットにすることができる厚紙製包装箱を提供することである。
【課題を解決するための手段】
【０００７】
この課題を解決するために請求項１の考案は、２組の対向側板と、この２組の対向側板の下端に連設される底板形成用フラップと、前記２組の対向側板の内、任意の側板の上端に連設される上蓋形成用フラップとを備えた厚紙製包装箱であって、前記２組の対向側板の内、１組の対向側板の下端に連設される２枚の底板形成用フラップは一方の底板形成用フラップの突き合せ部に形成された凸状差し込み片が他方の底板形成用フラップの突き合せ部に形成された凹状切り込み部に差し込まれて下側底板部を形成し、他の１組の対向側板の下端に連設される２枚の底板形成用フラップは隣り合って配置され前記下側底板部を上から覆う平面状の上側底板部を形成するように構成したものである。
【０００８】
請求項２の考案は、差し込み片は切り込み部の内面側に差し込まれ、差し込み片の両側に位置する肩部は切り込み部の両側に位置する肩部の外面側に重なる。
請求項３の考案は、他方の底板形成用フラップの切り込み部は外側に膨らむ円弧状に形成され、一方の底板形成用フラップの肩部も外側に膨らむ円弧状に形成されている。
【０００９】
請求項４の考案は、差し込み片の両側と切り込み部の両端に溝部が形成されている。
【考案の効果】
【００１０】
請求項１記載の考案によれば、１組の対向側板の下端に連設される２枚の底板形成用フラップは一方の底板形成用フラップの突き合せ部に形成された凸状差し込み片が他方の底板形成用フラップの突き合せ部に形成された凹状切り込み部に差し込まれて下側底板部が形成され、他の１組の対向側板の下端に連設される２枚の底板形成用フラップは隣り合って配置され前記下側底板部を上から覆う平面状の上側底板部を形成するので、保護底板を別途用意することなく、他の１組の対向側板の下端に連設された底板形成用フラップを用いて底部内面をフラットにすることができる。その結果、コストダウンを図ることができる。
【００１１】
請求項２〜４記載の考案によれば、抜け落ちにくいしっかりした下側底板部とすることができる。
【図面の簡単な説明】
【００１２】
【図１】本考案の第１の実施の形態に係る厚紙製包装箱の展開図である。
【図２】同厚紙製包装箱の組み立て途中の状態を下から見た斜視図である。
【図３】同底板が組み立てられた厚紙製包装箱を下方から見た斜視図である。
【図４】同厚紙製包装箱の底板部を上方から見た要部斜視図である。
【図５】本考案の第２の実施の形態に係る厚紙製包装箱の展開図である。
【図６】同厚紙製包装箱の組み立て途中の状態を下方から見た斜視図である。
【図７】同底板が組み立てられた厚紙製包装箱を下方から見た斜視図である。
【図８】同厚紙製包装箱の底板部を上方から見た要部斜視図である。
【図９】本考案の第３の実施の形態に係る厚紙製包装箱の展開図である。
【図１０】同厚紙製包装箱の組み立て途中の状態を下方から見た斜視図である。
【図１１】同底板が組み立てられた厚紙製包装箱を下方から見た斜視図である。
【図１２】同厚紙製包装箱の底板部を上方から見た要部斜視図である。
【考案を実施するための形態】
【００１３】
本考案の第１の実施の形態について図１〜図４に基づいて説明する。厚紙製包装箱１は、たとえば厚紙である段ボール板を用いて形成され、２組の対向側板２，３、４，５を備えている。この２組の対向側板２，３、４，５の下端には底板形成用フラップ６，７、８，９が連設され、側板３を除く対向側板２，４，５の上端には上蓋形成用フラップ１０，１１，１２が連設されている。
【００１４】
１組の対向側板２，３の下端に連設される底板形成用フラップ６，７のうち一方の底板形成用フラップ６の突き合せ部には幅広な凸状の差し込み片１３が形成されており、他方の底板形成用フラップ７の突き合せ部には前記差し込み片１３が差し込まれる凹状の切り込み部１４が形成されている。他の１組の対向側板４，５の下端に連設される２枚の底板形成用フラップ８，９は折り曲げられたとき端面１５，１６同士が互いに突き合わされた状態で向き合うように構成されている。
【００１５】
１組の対向側板２，３のうち一方の対向側板２の上端に連設される上蓋形成用フラップ１０の端部には、対向側板３の上端内側に差し込まれる嵌合片１７が形成されており、１組の対向側板２，３のうち他方の対向側板３の上端には折り曲げ可能な舌片１８が形成されている。舌片１８は嵌合片１７の折り曲げ線上に形成されたスリット１９に係止される。
【００１６】
厚紙製包装箱１は、対向側板２の側部に設けられた糊代２０が対向側板５の端部内面に接合された後、底板側から組み立てられる。先ず、他の１組の対向側板４，５の下端に連設された２枚の底板形成用フラップ８，９が厚紙製包装箱１の内部側に折り曲げられる。そのときの状態を図２に示す。
【００１７】
次に、１組の対向側板２，３の下端に連設された底板形成用フラップ６，７が折り曲げられて、底板形成用フラップ７の切り込み部１４に、底板形成用フラップ６の差し込み片１３が差し込まれる。差し込み片１３が切り込み部１４の内面側に差し込まれ、差し込み片１３の両側に位置する肩部２１が切り込み部１４の両側に位置する肩部２２の外面側に重なって下側底板部が形成される。
【００１８】
そして、厚紙製包装箱１の内部側に折り曲げられた底板形成用フラップ８，９が、下側底板部の上面を覆うように押し下げられ、端面１５，１６同士が互いに突き合わされた状態で上側底板部となる。図３はこの状態の厚紙製包装箱１を下方から見た斜視図であり、図４はこの状態の厚紙製包装箱１を上方から見た斜視図である。
【００１９】
差し込み片１３が切り込み部１４の内面側に差し込まれ、さらに差し込み片１３の両側に位置する肩部２１が切り込み部１４の両側に位置する肩部２２の外面側に重なるので、抜け落ちにくいしっかりした下側底板部を形成することができる。上側底板部は２枚の底板形成用フラップ８，９によって下側底板部の内面全体を覆った平板状に形成されるので、保護底板を別途設けなくても底部をフラットにすることができる。これによって、保護底板を別途形成する段ボールなどの厚紙材料を削減することができ、さらに包装作業を簡略化することもできる。
【００２０】
なお、本実施の形態において、２枚の底板形成用フラップ８，９は、端面１５，１６同士が互いに突き合わされた状態で下側底板部の内面全体を覆うように形成されているが、これに限定されるものではない。底板形成用フラップ８，９は隣り合って配置されて平板状になるものであれば、底板形成用フラップ８の端面１５と底板形成用フラップ９の端面１６との間に多少隙間があるものでもよい。
【００２１】
次に、本考案の第２の実施の形態について図５〜図８に基づいて説明する。なお、第１の実施の形態についての説明と重複する部分については説明を省略する。本実施の形態においては、１組の対向側板２，３の下端に連設される底板形成用フラップ６，７のうち他方の底板形成用フラップ７の突き合せ部に形成される切り込み部１４は外側に膨らむ円弧状に形成されており、一方の底板形成用フラップ６の差し込み片１３の両側に位置する肩部２１も外側に膨らむ円弧状に形成されている。さらに、差し込み片１３と差し込み片１３の両側に位置する肩部２１との接続部には楔状の凹部２３が形成されており、切り込み部１４と切り込み部１４の両側に位置する肩部２２との接続部にも楔状の凹部２４が形成されている。
【００２２】
そして差し込み片１３が切り込み部１４の内側に差し込まれ、差し込み片１３の両側に位置する肩部２１が切り込み部１４の両側に位置する肩部２２の外面側に重なると、差し込み片１３と肩部２１との接続部に形成された楔状の凹部２３と、切り込み部１４と肩部２２との接続部に形成された楔状の凹部２４とが噛み合う。これによって、いっそう抜け落ちにくいしっかりした下側底板部とすることができる。
【００２３】
なお、他の１組の対向側板４，５の下端に連設された２枚の底板形成用フラップ８，９は、端面１５と１６とが突き合わされるように折り曲げられて、下側底板部の内面全体を覆った平板状の上側底板部となる。
【００２４】
さらに、本考案の第３の実施の形態について図９〜図１２に基づいて説明する。なお、第１または２の実施の形態についての説明と重複する部分については説明を省略する。本実施の形態においては、差し込み片１３の両側と、切り込み部１４の両側とには、幅狭な溝部２５，２６が形成されている。
【００２５】
そして、差し込み片１３が切り込み部１４の内側に差し込まれ、差し込み片１３の両側に位置する肩部２１が切り込み部１４の両側に位置する肩部２２の外面側に重なると、差し込み片１３の両側に形成された溝部２５と、切り込み部１４の両側に形成された溝部２６とが噛み合う。これによって、よりいっそう抜け落ちにくいしっかりした下側底板部とすることができる。
【００２６】
なお、他の１組の対向側板４，５の下端に連設された２枚の底板形成用フラップ８，９は、端面１５と１６とが突き合わされるように折り曲げられて、下側底板部の内面全体を覆った平板状の上側底板部となる。
【００２７】
このように、２組の対向側板２，３、４，５と、この２組の対向側板２，３、４，５の下端に連設される底板形成用フラップ６，７、８，９と、前記２組の対向側板２，３、４，５の内、任意の側板の上端に連設される上蓋形成用フラップ１０，１１，１２とを備えた厚紙製包装箱１であって、前記２組の対向側板２，３、４，５の内、１組の対向側板２，３の下端に連設される２枚の底板形成用フラップ６，７は一方の底板形成用フラップ６の突き合せ部に形成される凹状差し込み片１３が他方の底板形成用フラップ７の突き合せ部に形成される凹状切り込み部１４に差し込まれて下側底板部を形成し、他の１組の対向側板４，５の下端に連設される２枚の底板形成用フラップ８，９は端面１５，１６同士が互いに突き合わされて前記下側底板部２５を上から覆う平面状の上側底板部２６を形成するように構成されているので、底板形成用フラップ８，９を用いて底部内面をフラットにすることができる。
【００２８】
まに、差し込み片１３は切り込み部１４の内側に差し込まれ、差し込み片１３の両側に位置する肩部２１は切り込み部１４の両側に位置する肩部２２の外面側に重なるので、抜け落ちにくいしっかりした下側底板部とすることができる。
【００２９】
また、切り込み部１４は外側に膨らむ円弧状に形成され、肩部２１も外側に膨らむ円弧状に形成されているので、抜け落ちにくいしっかりした下側底板部とすることができる。
さらに、差し込み片１３の両側と切り込み部１４の底部両端とには溝部２５，２６が形成されているので、これによっても抜け落ちにくいしっかりした下側底板部とすることができる。
【符号の説明】
【００３０】
１    厚紙製包装箱
２，３，４，５    対向側板
６，７，８，９    底板形成用フラップ
１０，１１，１２    上蓋形成用フラップ
１３    差し込み片
１４    切り込み部
１５，１６    端面
１７    嵌合片
１８    舌片
１９    スリット
２０    糊代
２１，２２    肩部
２３，２４    凹部            
２５，２６    溝部
【図１】
0003182103.tif 000003
【図２】
0003182103.tif 000004
【図３】
0003182103.tif 000005
【図４】
0003182103.tif 000006
【図５】
0003182103.tif 000007
【図６】
0003182103.tif 000008
【図７】
0003182103.tif 000009
【図８】
0003182103.tif 000010
【図９】
0003182103.tif 000011
【図１０】
0003182103.tif 000012
【図１１】
0003182103.tif 000013
【図１２】
0003182103.tif 000014